(57)【特許請求の範囲】
【請求項１】
空気通路（１７、１９）を形成するケース（１１）と、
板状に形成された樹脂製のドア本体部（３０）を有し、前記ケース（１１）内にスライド移動可能に配置されて前記空気通路（１７、１９）を開閉するスライドドア（２６）と、
前記スライドドア（２６）を駆動するギヤ機構（３１）とを備え、
前記ケース（１１）には、前記空気通路（１７、１９）のうち前記ドア本体部（３０）の幅方向（Ｗ）における両端部に位置して前記ドア本体部（３０）が当接するケース側シール面（１７ａ、１９ａ）、および前記ケース側シール面（１７ａ、１９ａ）と対向するガイド壁面（３５）で構成されたガイド溝（３６）が形成され、
前記ドア本体部（３０）のうち前記幅方向（Ｗ）における両端部は、前記ガイド溝（３６）の内部に配置され、
前記ギヤ機構（３１）は、前記ドア本体部（３０）に設けられた従動側ギヤ（３２）と、従動側ギヤ（３２）と噛み合う駆動側ギヤ（３３）とを有し、
前記従動側ギヤ（３２）は、前記ドア本体部（３０）のうち前記ガイド溝（３６）よりも前記幅方向（Ｗ）の内側に位置する部位において、前記スライドドア（２６）の移動方向（Ｘ）と平行に延びるように形成され、
前記ドア本体部（３０）のうち前記ガイド壁面（３５）と対向する部位、または前記ガイド壁面（３５）のうち前記ドア本体部（３０）と対向する部位には、前記ドア本体部（３０）と前記ガイド壁面（３５）との間に介在する介在部（４０、４１）が形成されており、
前記介在部（４０、４１）は、前記従動側ギヤ（３２）の歯に比べて、前記スライドドア（２６）の移動方向（Ｘ）の曲げ剛性が高いものであることを特徴とする空気通路開閉装置。
【請求項２】
前記介在部（４０、４１）は、前記スライドドア（２６）の移動方向（Ｘ）に配列された複数個の突起で構成され、
前記複数個の突起同士の間隔は、前記従動側ギヤ（３２）の歯同士の間隔よりも大きくなっていることを特徴とする請求項１に記載の空気通路開閉装置。
【請求項３】
前記従動側ギヤ（３２）のモジュール値をｍとしたとき、
前記複数個の突起同士の間隔は、２×ｍ×π以上になっていることを特徴とする請求項２に記載の空気通路開閉装置。
【請求項４】
前記介在部（４０、４１）は、根元長さ寸法（Ｌ１）が高さ寸法（Ｈ１）よりも大きい突起形状を有していることを特徴とする請求項１ないし３のいずれか１つに記載の空気通路開閉装置。
【請求項５】
前記介在部（４０、４１）は、根元長さ寸法（Ｌ１）が先端長さ寸法（Ｌ２）よりも大きい突起形状を有していることを特徴とする請求項１ないし４のいずれか１つに記載の空気通路開閉装置。
【請求項６】
前記介在部（４０、４１）は、前記ドア本体部（３０）に一体成形されていることを特徴とする請求項１ないし５のいずれか１つに記載の空気通路開閉装置。
【請求項７】
前記介在部（４０、４１）は、前記ガイド壁面（３５）に一体成形されていることを特徴とする請求項１ないし５のいずれか１つに記載の空気通路開閉装置。
【請求項８】
前記介在部（４０、４１）には、中空状の肉盗み空間（４０ａ）が形成されていることを特徴とする請求項６または７に記載の空気通路開閉装置。
【請求項９】
前記肉盗み空間（４０ａ）は、前記幅方向（Ｗ）を向いて開口していることを特徴とする請求項８に記載の空気通路開閉装置。
【請求項１０】
空気通路（１７、１９）を形成するケース（１１）と、
板状に形成された樹脂製のドア本体部（３０）を有し、前記ケース（１１）内にスライド移動可能に配置されて前記空気通路（１７、１９）を開閉するスライドドア（２６）と、
前記スライドドア（２６）を駆動するギヤ機構（３１）とを備え、
前記ケース（１１）には、前記空気通路（１７、１９）のうち前記ドア本体部（３０）の幅方向（Ｗ）における両端部に位置して前記ドア本体部（３０）が当接するケース側シール面（１７ａ、１９ａ）、および前記ケース側シール面（１７ａ、１９ａ）と対向するガイド壁面（３５）で構成されたガイド溝（３６）が形成され、
前記ドア本体部（３０）のうち前記幅方向（Ｗ）における両端部は、前記ガイド溝（３６）の内部に配置され、
前記ギヤ機構（３１）は、前記ドア本体部（３０）に設けられた従動側ギヤ（３２）と、従動側ギヤ（３２）と噛み合う駆動側ギヤ（３３）とを有し、
前記従動側ギヤ（３２）は、前記ドア本体部（３０）のうち前記ガイド溝（３６）よりも前記幅方向（Ｗ）の内側に位置する部位において、前記スライドドア（２６）の移動方向（Ｘ）と平行に延びるように形成され、
前記ドア本体部（３０）のうち前記ガイド壁面（３５）と対向する部位、または前記ガイド壁面（３５）のうち前記ドア本体部（３０）と対向する部位には、前記ドア本体部（３０）と前記ガイド壁面（３５）との間に介在する介在部（４０、４１）が形成されており、
前記介在部は、前記ドア本体部（３０）に一体成形された突起部（４０）であり、
前記突起部（４０）には、中空状の肉盗み空間（４０ａ）が形成され、
前記肉盗み空間（４０ａ）は、前記突起部（４０）の突出方向と平行な方向を向いて開口していることを特徴とする空気通路開閉装置。
【請求項１１】
空気通路（１７、１９）を形成するケース（１１）と、
板状に形成された樹脂製のドア本体部（３０）を有し、前記ケース（１１）内にスライド移動可能に配置されて前記空気通路（１７、１９）を開閉するスライドドア（２６）と、
前記スライドドア（２６）を駆動するギヤ機構（３１）とを備え、
前記ケース（１１）には、前記空気通路（１７、１９）のうち前記ドア本体部（３０）の幅方向（Ｗ）における両端部に位置して前記ドア本体部（３０）が当接するケース側シール面（１７ａ、１９ａ）、および前記ケース側シール面（１７ａ、１９ａ）と対向するガイド壁面（３５）で構成されたガイド溝（３６）が形成され、
前記ドア本体部（３０）のうち前記幅方向（Ｗ）における両端部は、前記ガイド溝（３６）の内部に配置され、
前記ギヤ機構（３１）は、前記ドア本体部（３０）に設けられた従動側ギヤ（３２）と、従動側ギヤ（３２）と噛み合う駆動側ギヤ（３３）とを有し、
前記従動側ギヤ（３２）は、前記ドア本体部（３０）のうち前記ガイド溝（３６）よりも前記幅方向（Ｗ）の内側に位置する部位において、前記スライドドア（２６）の移動方向（Ｘ）と平行に延びるように形成され、
前記ドア本体部（３０）のうち前記ガイド壁面（３５）と対向する部位、または前記ガイド壁面（３５）のうち前記ドア本体部（３０）と対向する部位には、前記ドア本体部（３０）と前記ガイド壁面（３５）との間に介在する介在部（４０、４１）が形成されており、
前記介在部は、前記ガイド壁面（３５）に一体成形された突起部（４１）であり、
前記突起部（４１）には、中空状の肉盗み空間（４０ａ）が形成され、
前記肉盗み空間（４０ａ）は、前記突起部（４１）の突出方向と平行な方向を向いて開口していることを特徴とする空気通路開閉装置。
【発明の詳細な説明】
【技術分野】
【０００１】
本発明は、スライドドアにより空気通路を開閉する空気通路開閉装置に関する。
【背景技術】
【０００２】
従来、この種の空気通路装置を用いた車両用空調装置が特許文献１に開示されている。この従来技術では、板状のドア本体部を有するスライドドアをスライド移動させることによって、樹脂製のケースに形成された空気通路を開閉するようになっている。
【０００３】
また、この従来技術では、ドア本体部の風上側の板面にラック（従動側ギヤ）を配置し、このラックにピニオン（駆動側ギヤ）を噛み合わせることによってスライドドアを駆動している。ラック（従動側ギヤ）は、ドア本体部の風上側の板面のうちドア幅方向の両端部において、風上側に突出し且つドア移動方向に延びるように形成されている。
【０００４】
また、この従来技術では、スライドドアのスライド移動をガイド（案内）するガイド溝をケースに形成している。  このガイド溝の内部に、ドア本体部のうちドア幅方向の両端部が配置されることで、スライドドアのスライド移動が案内（ガイド）されるようになっている。
【０００５】
ガイド溝は、ドア本体部の板面と対向するケース側シール面およびガイド壁面で構成されている。スライドドアが空気通路を閉じているときには、風圧を利用してドア本体部の板面をケース側シール面に当接させることによってシール性を発揮する。
【０００６】
なお、この従来技術では、ラック（従動側ギヤ）が、ドア本体部のうちドア幅方向の両端部に形成されているので、ラック（従動側ギヤ）もガイド溝の内部に配置されている。また、この従来技術では、ガイド溝はケースと一体成形されている。
【先行技術文献】
【特許文献】
【０００７】
【特許文献１】特開２００９−４０３９０号公報
【発明の概要】
【発明が解決しようとする課題】
【０００８】
図１０（ａ）、（ｂ）は、上記従来技術を示す斜視図である。本発明者の詳細な検討によると、上記従来技術では、ラック３２（従動側ギヤ）がガイド溝３６の内部に配置されているので、スライドドア２６がスライド移動するとラック３２とガイド壁面３５とが摺動する。このように、ラック３２がガイド溝３６の内部に配置されていると、ピニオン３３（駆動側ギヤ）と噛み合うラック３２の歯またはガイド壁面３５の面が荒れ、摺動に影響を及ぼすことがわかった。
【０００９】
図１０（ｃ）に示す検討例は、上記点を鑑み、ラック３２をガイド溝３６から外れた位置（ドア幅方向の内側）に配置したものである。この検討例では、ケース側シール面２４ａ、２５ｂとドア本体部２６ａとの間の隙間が大きくなるので、シール性が悪化して好ましくない。
【００１０】
図１０（ｄ）に示す検討例は、図１０（ｃ）の検討例における隙間を埋めるためにガイド溝３６の幅を狭くしたものである。この検討例では、薄い型でガイド溝３６を成形することとなるので、型の強度が不足して好ましくない。
【００１１】
本発明は上記点に鑑みて、従動側ギヤをガイド溝から外れた位置に配置した場合においても、シール性の悪化を抑制するとともにガイド溝の幅を確保することを目的とする。
【課題を解決するための手段】
【００１２】
上記目的を達成するため、請求項１に記載の発明では、空気通路（１７、１９）を形成するケース（１１）と、
板状に形成された樹脂製のドア本体部（３０）を有し、ケース（１１）内にスライド移動可能に配置されて空気通路（１７、１９）を開閉するスライドドア（２６）と、
スライドドア（２６）を駆動するギヤ機構（３１）とを備え、
ケース（１１）には、空気通路（１７、１９）のうちドア本体部（３０）の幅方向（Ｗ）における両縁部に位置してドア本体部（３０）が当接するケース側シール面（１７ａ、１９ａ）、およびケース側シール面（１７ａ、１９ａ）と対向するガイド壁面（３５）で構成されたガイド溝（３６）が形成され、
ドア本体部（３０）のうち幅方向（Ｗ）における両端部は、ガイド溝（３６）の内部に配置され、
ギヤ機構（３１）は、ドア本体部（３０）に設けられた従動側ギヤ（３２）と、従動側ギヤ（３２）と噛み合う駆動側ギヤ（３３）とを有し、
従動側ギヤ（３２）は、ドア本体部（３０）のうちガイド溝（３６）よりも幅方向（Ｗ）の内側に位置する部位において、スライドドア（２６）の移動方向（Ｘ）と平行に延びるように形成され、
ドア本体部（３０）のうちガイド壁面（３５）と対向する部位、またはガイド壁面（３５）のうちドア本体部（３０）と対向する部位には、ドア本体部（３０）とガイド壁面（３５）との間に介在する介在部（４０、４１）が形成されており、
介在部（４０、４１）は、従動側ギヤ（３２）の歯に比べて、スライドドア（２６）の移動方向（Ｘ）の曲げ剛性が高いものであることを特徴とする。
【００１３】
これによると、ドア本体部（３０）とガイド壁面（３５）との間に介在部（４０、４１）が介在しているので、従動側ギヤ（３２）をガイド溝（３６）から外れた位置に配置しても、ケース側シール面（１７ａ、１９ａ）とドア本体部（３０）との間の隙間が大きくなってシール性が悪化することを抑制できるとともに、ガイド溝（３６）の幅を確保できる。
さらに、請求項１に記載の発明では、介在部（４０、４１）を、従動側ギヤ（３２）の歯に比べて、スライドドア（２６）の移動方向（Ｘ）の曲げ剛性が高いものにしているから、介在部（４０、４１）の曲げ変形および振動を抑制することができ、それにより、介在部（４０、４１）の摺動音を抑制することができる。
【００１４】
請求項２に記載の発明では、請求項１に記載の空気通路開閉装置において、介在部（４０、４１）は、スライドドア（２６）の移動方向（Ｘ）に配列された複数個の突起で構成され、
複数個の突起同士の間隔は、従動側ギヤ（３２）の歯同士の間隔よりも大きくなっていることを特徴とする。
【００１５】
これによると、ドア本体部（３０）のうち突起同士の間の部位によって突起の振動を良好に吸収することができるので、突起の摺動音を良好に抑制することができる。
【００１６】
具体的には、請求項３に記載の発明のように、請求項２に記載の空気通路開閉装置において、従動側ギヤ（３２）のモジュール値をｍとしたとき、
複数個の突起同士の間隔は、２×ｍ×π以上になっていることが好ましい。
【００１９】
請求項４に記載の発明のように、請求項１ないし３のいずれか１つに記載の空気通路開閉装置において、介在部（４０、４１）は、根元長さ寸法（Ｌ１）が高さ寸法（Ｈ１）よりも大きい突起形状を有していることが好ましい。
【００２０】
請求項５に記載の発明のように、請求項１ないし４のいずれか１つに記載の空気通路開閉装置において、介在部（４０、４１）は、根元長さ寸法（Ｌ１）が先端長さ寸法（Ｌ２）よりも大きい突起形状を有していることが好ましい。
【００２１】
請求項６に記載の発明のように、請求項１ないし５のいずれか１つに記載の空気通路開閉装置において、介在部（４０、４１）は、ドア本体部（３０）に一体成形されていればよい。
【００２２】
請求項７に記載の発明のように、請求項１ないし５のいずれか１つに記載の空気通路開閉装置において、介在部（４０、４１）は、ガイド壁面（３５）に一体成形されていてもよい。
【００２３】
これによると、ケース側シール面（１９ａ、１７ａ）とガイド壁面（３５）全体との間の隙間管理が不要であり、介在部（４０、４１）とケース側シール面（１９ａ、１７ａ）との間のみでの隙間管理で済むので、成形を容易化できる。
【００２４】
請求項８に記載の発明では、請求項６または７に記載の空気通路開閉装置において、介在部（４０、４１）には、中空状の肉盗み空間（４０ａ）が形成されていることを特徴とする。
【００２５】
これにより、介在部（４０、４１）を成形する際に、いわゆる「ひけ」が発生することを抑制できる。
【００２６】
請求項９に記載の発明のように、請求項８に記載の空気通路開閉装置において、肉盗み空間（４０ａ）は、幅方向（Ｗ）を向いて開口していればよい。
【００２７】
請求項１０に記載の発明では、空気通路（１７、１９）を形成するケース（１１）と、
板状に形成された樹脂製のドア本体部（３０）を有し、ケース（１１）内にスライド移動可能に配置されて空気通路（１７、１９）を開閉するスライドドア（２６）と、
スライドドア（２６）を駆動するギヤ機構（３１）とを備え、
ケース（１１）には、空気通路（１７、１９）のうちドア本体部（３０）の幅方向（Ｗ）における両縁部に位置してドア本体部（３０）が当接するケース側シール面（１７ａ、１９ａ）、およびケース側シール面（１７ａ、１９ａ）と対向するガイド壁面（３５）で構成されたガイド溝（３６）が形成され、
ドア本体部（３０）のうち幅方向（Ｗ）における両端部は、ガイド溝（３６）の内部に配置され、
ギヤ機構（３１）は、ドア本体部（３０）に設けられた従動側ギヤ（３２）と、従動側ギヤ（３２）と噛み合う駆動側ギヤ（３３）とを有し、
従動側ギヤ（３２）は、ドア本体部（３０）のうちガイド溝（３６）よりも幅方向（Ｗ）の内側に位置する部位において、スライドドア（２６）の移動方向（Ｘ）と平行に延びるように形成され、
ドア本体部（３０）のうちガイド壁面（３５）と対向する部位、またはガイド壁面（３５）のうちドア本体部（３０）と対向する部位には、ドア本体部（３０）とガイド壁面（３５）との間に介在する介在部（４０、４１）が形成されており、
介在部は、ドア本体部（３０）に一体成形された突起部（４０）であり、突起部（４０）には、中空状の肉盗み空間（４０ａ）が形成され、
肉盗み空間（４０ａ）は、突起部（４０）の突出方向と平行な方向を向いて開口していることを特徴とする。
これによると、請求項１に記載の発明と同様にドア本体部（３０）とガイド壁面（３５）との間に介在部（４０、４１）が介在しているので、従動側ギヤ（３２）をガイド溝（３６）から外れた位置に配置しても、ケース側シール面（１７ａ、１９ａ）とドア本体部（３０）との間の隙間が大きくなってシール性が悪化することを抑制できるとともに、ガイド溝（３６）の幅を確保できる。
さらに、請求項１０に記載の発明では、介在部は、ドア本体部（３０）に一体成形された突起部（４０）であり、突起部（４０）に中空状の肉盗み空間（４０ａ）を形成しているから、介在部としての突起部（４０）をドア本体部（３０）に一体成形する際に、いわゆる「ひけ」が発生することを抑制できる。
しかも、肉盗み空間（４０ａ）は、突起部（４０）の突出方向と平行な方向を向いて開口しているから、肉盗み空間（４０ａ）の開口方向を、ドア本体部（３０）と突起部（４０）とを一体成形する際の型抜きの方向と一致させることができ、型抜きが容易である。
請求項１１に記載の発明では、空気通路（１７、１９）を形成するケース（１１）と、
板状に形成された樹脂製のドア本体部（３０）を有し、ケース（１１）内にスライド移動可能に配置されて空気通路（１７、１９）を開閉するスライドドア（２６）と、
スライドドア（２６）を駆動するギヤ機構（３１）とを備え、
ケース（１１）には、空気通路（１７、１９）のうちドア本体部（３０）の幅方向（Ｗ）における両縁部に位置してドア本体部（３０）が当接するケース側シール面（１７ａ、１９ａ）、およびケース側シール面（１７ａ、１９ａ）と対向するガイド壁面（３５）で構成されたガイド溝（３６）が形成され、
ドア本体部（３０）のうち幅方向（Ｗ）における両端部は、ガイド溝（３６）の内部に配置され、
ギヤ機構（３１）は、ドア本体部（３０）に設けられた従動側ギヤ（３２）と、従動側ギヤ（３２）と噛み合う駆動側ギヤ（３３）とを有し、
従動側ギヤ（３２）は、ドア本体部（３０）のうちガイド溝（３６）よりも幅方向（Ｗ）の内側に位置する部位において、スライドドア（２６）の移動方向（Ｘ）と平行に延びるように形成され、
ドア本体部（３０）のうちガイド壁面（３５）と対向する部位、またはガイド壁面（３５）のうちドア本体部（３０）と対向する部位には、ドア本体部（３０）とガイド壁面（３５）との間に介在する介在部（４０、４１）が形成されており、
介在部は、ガイド壁面（３５）に一体成形された突起部（４１）であり、突起部（４１）には、中空状の肉盗み空間（４０ａ）が形成され、
肉盗み空間（４０ａ）は、突起部（４１）の突出方向と平行な方向を向いて開口していることを特徴とする。
これによると、請求項１、１０に記載の発明と同様にドア本体部（３０）とガイド壁面（３５）との間に介在部（４０、４１）が介在しているので、従動側ギヤ（３２）をガイド溝（３６）から外れた位置に配置しても、ケース側シール面（１７ａ、１９ａ）とドア本体部（３０）との間の隙間が大きくなってシール性が悪化することを抑制できるとともに、ガイド溝（３６）の幅を確保できる。
さらに、請求項１１に記載の発明では、介在部は、ガイド壁面（３５）に一体成形された突起部（４１）であり、突起部（４１）に中空状の肉盗み空間（４０ａ）を形成しているから、介在部としての突起部（４１）をガイド壁面（３５）に一体成形する際に、いわゆる「ひけ」が発生することを抑制できる。
【００２８】
なお、この欄および特許請求の範囲で記載した各手段の括弧内の符号は、後述する実施形態に記載の具体的手段との対応関係を示すものである。
【図面の簡単な説明】
【００２９】
【図１】第１実施形態における車両用空調装置の室内空調ユニットの断面図である。
【図２】第１実施形態における室内空調ユニットの要部斜視図である。
【図３】第１実施形態における室内空調ユニットの要部断面図である。
【図４】第１実施形態におけるドア本体部および従動側ギヤの平面図である。
【図５】第１実施形態におけるドア本体部および従動側ギヤの斜視図および断面図である。
【図６】第１実施形態における突起部の断面図である。
【図７】第２実施形態における室内空調ユニットの要部断面図である。
【図８】第３実施形態における室内空調ユニットの要部断面図である。
【図９】他の実施形態における室内空調ユニットの要部断面図である。
【図１０】従来技術および検討例を示す斜視図および断面図である。
【発明を実施するための形態】
【００３０】
（第１実施形態）
以下、第１実施形態について図１〜図６に基づいて説明する。図１は、本実施形態の車両用空調装置における室内空調ユニット１０の断面図である。なお、図１の前後上下の各矢印は、室内空調ユニット１０の車両搭載状態における方向を示している。
【００３１】
室内空調ユニット１０は、車室内最前部の計器盤（インストルメントパネル）の内側のうち、車両幅方向（左右方向）の略中央部に配置されている。また、室内空調ユニット１０は、その外殻を形成するとともに、車室内へ向かって送風される室内送風空気の空気通路を形成するケース１１を有している。このケース１１は、ある程度の弾性を有し、強度的にも優れた樹脂（例えば、ポリプロピレン）にて成形されている。
【００３２】
ケース１１は、車両幅方向の略中央部に車両上下方向の分割面Ｓ（後述の図４を参照）を有しており、この分割面Ｓで左右２つの分割部１１ａ、１１ｂに分割できる。これら左右２つの分割部１１ａ、１１ｂは、その内部に後述する蒸発器１４、ヒータコア１５等の各構成機器を収容した状態で、金属バネ、クリップ、ネジ等の締結手段によって一体に結合されている。
【００３３】
図１に示すように、ケース１１の車両前方側かつ上方側であって、ケース１１に形成された空気通路の最上流部には、内気（車室内空気）と外気（車室外空気）とを切替導入する内外気切替部１２が設けられている。この内外気切替部１２には、ケース１１内に内気を導入させる内気導入口１２ａおよび外気を導入させる外気導入口１２ｂが形成されている。
【００３４】
内外気切替部１２の内部には、内気導入口１２ａおよび外気導入口１２ｂを開閉する内外気切替ドア１３が回転自在に配置されている。具体的には、この内外気切替ドア１３は、板状のドア本体部１３ａの一端側に、車両幅方向に延びる回転軸部１３ｂが一体に結合された、いわゆる片持ちドアである。
【００３５】
内外気切替部１２では、図示しないサーボモータあるいはマニュアル操作によって回転軸部１３ｂを回転させ、ドア本体部１３ａを回転変位させることによって、内気導入口１２ａおよび外気導入口１２ｂの開口面積を連続的に調整できるようになっている。
【００３６】
内外気切替部１２の空気流れ下流側には、蒸発器１４が略上下方向（略鉛直方向）に配置されている。蒸発器１４は、周知の蒸気圧縮式冷凍サイクル（図示せず）を構成する機器の１つであり、冷凍サイクル内の低圧冷媒を蒸発させて吸熱作用を発揮させることで、室内送風空気を冷却する冷却用熱交換器である。
【００３７】
蒸発器１４の空気流れ上流側には、蒸発器１４の熱交換面（コア面）の全面を覆うように、フィルタ１４ａが設けられている。このフィルタ１４ａは、内外気切替部１２からケース１１内へ流入した内気および外気中の粉塵等を捕捉するものである。
【００３８】
蒸発器１４の空気流れ下流側の車両後方側かつ上方側には、ヒータコア１５が配置されている。ヒータコア１５は、図示しないエンジン冷却水回路を循環する高温のエンジン冷却水を内部に流入させ、エンジン冷却水と蒸発器１４にて冷却された冷風とを熱交換させて、冷風を再加熱する加熱用熱交換器である。
【００３９】
このヒータコア１５も略上下方向に配置されているが、上側よりも下側が車両後方側へ若干傾斜するように配置されている。これにより、後述するエアミックスドア２０の作動空間を確保している。なお、蒸発器１４およびヒータコア１５が略上下方向に配置されるとは、その熱交換面（コア面）が略上下方向に延びるように配置されることを意味する。
【００４０】
蒸発器１４の後方かつ上方側には、ヒータコア１５の通風路である温風通路１７が形成されている。ヒータコア１５の車両後方側には、温風通路１７の内壁面の一部を構成する壁部１６がケース１１と一体に形成されている。
【００４１】
この壁部１６は車両上下方向に円弧状に湾曲して延びている。これにより、ヒータコア１５の車両後方側では温風通路１７が上方から下方へ向かって延びるように形成され、ヒータコア１５にて加熱された温風が上方から下方へ向かって流れることとなる。
【００４２】
温風通路１７の最下流部には、温風の流れをガイドする温風ガイド部材１８が配置されている。この温風ガイド部材１８は、内外気切替ドア１３と同様の片持ちドア構造の構成になっている。
【００４３】
したがって、図示しないサーボモータあるいはマニュアル操作によって、車両幅方向に延びる回転軸部１８ｂを回転させ回転軸部１８ｂに結合された板状の本体部１８ａを回転変位させることによって、温風の流れ方向を変化させることができるようになっている。
【００４４】
蒸発器１４の後方側であって、かつ、ヒータコア１５の下方側には、冷風通路１９が形成されている。この冷風通路１９は、蒸発器１４通過後の冷風がヒータコア１５を迂回して流れるバイパス通路である。
【００４５】
蒸発器１４の直後には、温風通路１７側へ流入させる冷風および冷風通路１９側へ流入させる冷風の風量割合を調整するエアミックスドア２０が配置されている。このエアミックスドア２０は、本発明におけるスライドドアに該当するものであり、樹脂にて板状に形成されたドア本体部３０を有している。このドア本体部３０を、ギヤ機構３１を介して、図示しないサーボモータあるいはマニュアル操作によってドア本体部３０の湾曲方向に駆動変位させるように構成されている。
【００４６】
より具体的には、エアミックスドア２０のドア本体部３０を車両上方に移動（スライド）させることによって、冷風通路１９側の通路開度を増加させ、温風通路１７側の通路開度を減少させる。逆に、ドア本体部３０を車両下方に移動（スライド）させることによって、冷風通路１９側の通路開度を減少させ、温風通路１７側の通路開度を増加させる。
【００４７】
そして、このエアミックスドア２０の開度調整によって、送風機２１へ吸入される冷風および温風の風量割合が調整され、送風機２１から、車室内に向けて送風される室内送風空気の温度調整がなされる。つまり、エアミックスドア２０は、室内送風空気の温度調整手段を構成する。
【００４８】
車室内に向けて空気を送風する送風機２１は、蒸発器１４およびヒータコア１５の空気流れ下流側、より具体的には、温風通路１７の下流側（車両下方側）および冷風通路１９の下流側（車両後方側）に配置されている。
【００４９】
送風機２１は、車両幅方向に延びる回転軸Ｃ回りに一定間隔で環状に配置された複数枚のブレードを有する周知の遠心式多翼ファン２１ａ、この遠心式多翼ファン２１ａを収容するとともに、この遠心式多翼ファン２１ａから流出した空気が通過する流出通路２１ｃを形成するスクロールケーシング２１ｂ等を有して構成される。
【００５０】
スクロールケーシング２１ｂは、流出通路２１ｃの通路断面積が、遠心式多翼ファン２１ａの回転方向に向かって徐々に拡大する渦巻き形状のファンケーシングであり、ケース１１と一体に形成されている。また、遠心式多翼ファン２１ａの空気吸込口に対応する部位に開口部が設けられている。したがって、この開口部を介して、遠心式多翼ファン２１ａの空気吸込口へ空気が吸入される。
【００５１】
なお、遠心式多翼ファン２１ａは、図示しない電動モータから回転駆動力を伝達されて空気を送風する。
【００５２】
ケース１１の上面部であって、車両前後方向略中央部には、送風機２１から送風された空気を車両前面窓ガラスに向けて吹き出すデフロスタ開口部２４が設けられている。
【００５３】
このデフロスタ開口部２４を通過した空気は、図示しないデフロスタダクトおよび車両計器盤上面に設けられたデフロスタ吹出口を介して、車両前面窓ガラスの内面に向けて吹き出される。
【００５４】
ケース１１の上面部であって、デフロスタ開口部２４の後方には、送風機２１から送風された空気を車室内乗員の顔部側へ向けて吹き出すフェイス開口部２５が設けられている。具体的には、このフェイス開口部２５を通過した空気は、図示しないフェイスダクトおよび車両計器盤前面等に設けられたフェイス吹出口を介して、車室内乗員に向けて吹き出される。
【００５５】
デフロスタ開口部２４およびフェイス開口部２５の直下には、デフロスタ開口部２４を通過させる空調風およびフェイス開口部２５を通過させる空調風の風量を調整するデフロスタ・フェイスドア（吹出モード切替ドア）２６が配置されている。
【００５６】
デフロスタ・フェイスドア２６は、板状のドア本体部２６ａを有している。このドア本体部２６ａを、ギヤ機構３１を介して、図示しないサーボモータあるいはマニュアル操作によってドア本体部３０の湾曲方向に駆動変位させるように構成されている。
【００５７】
より具体的には、デフロスタ・フェイスドア２６のドア本体部２６ａを車両後方に移動させることによって、デフロスタ開口部２４の開度を増加させ、逆に、ドア本体部２６ａを車両前方に移動させることによって、フェイス開口部２５の開度を増加させることができる。
【００５８】
ケース１１の車両幅方向両側面の上方部には、送風機２１から送風された空気を車室内乗員の足元側へ向けて吹き出すフット開口部２７が設けられている。具体的には、このフット開口部２７を通過した空気は、図示しないフットダクトおよび車室内の乗員の足元近傍に設けられたフット吹出口を介して、車室内乗員の足元側に向けて吹き出される。
【００５９】
また、各フット開口部２７には、フット開口部２７を開閉するフットドア（吹出モード切替ドア）２８が配置されている。このフットドア２８は、板状のドア本体部２８ａの略中央部に車両前後方向に延びる回転軸部２８ｂが一体に結合された、いわゆるバタフライドアである。そして、図示しないサーボモータあるいはマニュアル操作によって回転軸部２８ｂを回転させ、ドア本体部２８ａを回転変位させることで、フット開口部２７を開閉する。
【００６０】
図２は、エアミックスドア２０の構成の詳細を示す室内空調ユニット１０の要部斜視図である。
【００６１】
図２中、矢印Ｗはエアミックスドア２０のドア本体部３０の幅方向（以下、ドア幅方向Ｗと言う。）を示し、矢印Ｘはエアミックスドア２０の移動方向（以下、ドア移動方向Ｘと言う。）を示している。図示の都合上、図２では、ケース１１を構成する左右２つの分割部１１ａ、１１ｂのうち一方の分割部１１ａのみを図示している。
【００６２】
本例では、ドア幅方向Ｗを車両幅方向と一致させ、ドア移動方向Ｘを車両上下方向と略平行にしている。
【００６３】
冷風通路１９の周縁部にはケース側シール面１９ａが形成されている。エアミックスドア２０が冷風通路１９を閉じてドア本体部３０が風圧を受けると、ドア本体部３０の風下側（図２の上方側）の板面３０ａがケース側シール面１９ａに当接することによってシール性を発揮するようになっている。
【００６４】
温風通路１７の周縁部にもケース側シール面１７ａが形成されており、エアミックスドア２０が温風通路１７を閉じてドア本体部３０が風圧を受けると、ドア本体部３０の風下側の板面３０ａがケース側シール面１７ａに当接することによってシール性を発揮するようになっている。
【００６５】
なお、風下側の板面３０ａに発泡ウレタン等からなるシール部材を貼り付けて、このシール部材を介して風下側の板面３０ａをケース側シール面１７ａ、１９ａに当接させるようにしてもよい。
【００６６】
ケース１１の側面壁部には、ドア移動方向Ｘに延びてケース側シール面１７ａ、１９ａと対向するガイド壁面３５が形成されている。ケース側シール面１７ａ、１９ａおよびガイド壁面３５は、ドア幅方向Ｗから見たときに円弧状に湾曲した形状を有している。ケース側シール面１７ａ、１９ａとガイド壁面３５との間の隙間寸法は一定になっている。
【００６７】
ケース側シール面１７ａ、１９ａとガイド壁面３５との間に、ドア本体部３０のうちドア幅方向Ｗにおける両端部が挿入されている。ドア本体部３０は、単体状態では平板状であるが、その両端部がケース側シール面１７ａ、１９ａとガイド壁面３５との間に挿入された状態では、ケース側シール面１７ａ、１９ａおよびガイド壁面３５の湾曲形状に沿って湾曲変形している。
【００６８】
ケース側シール面１７ａ、１９ａおよびガイド壁面３５は、ドア本体部３０のスライド移動をガイドするガイド溝３６を構成している。
【００６９】
ドア本体部３０を駆動するギヤ機構３１は、ドア本体部３０と一体成形された樹脂製の従動側ギヤ３２（ラック）と、従動側ギヤ３２と噛み合う円形の駆動側ギヤ３３（ピニオン）とを有している。
【００７０】
従動側ギヤ３２は、ドア移動方向Ｘと平行に延びるラックであり、ドア本体部３０の風上側（図２の下方側）の板面３０ｂから風上側に向かって突出している。また、従動側ギヤ３２は、ドア本体部３０のうちガイド溝３６の外部に位置する部位（ドア幅方向Ｗにおける両端部よりも内側の部位）に形成されている。
【００７１】
駆動側ギヤ３３は、ドア幅方向Ｗに延びる駆動軸３３ａに連結されている。駆動軸３３ａの両端部は、ケース１１の側面壁部の軸受け穴（図示せず）により回転自在に支持されている。駆動軸３３ａの一端部は図示しないドア駆動装置（サーボモータ等）に結合されている。本例では、駆動側ギヤ３３と駆動軸３３ａとを樹脂にて一体成形している。
【００７２】
図３は、ドア本体部３０、従動側ギヤ３２およびガイド溝３６の断面図であり、図４は、ドア本体部３０および従動側ギヤ３２の平面図であり、図５は、ドア本体部３０および従動側ギヤ３２の斜視図である。
【００７３】
図３は、冷風通路１９における断面を示しているが、温風通路１７における断面も図３と同様である。したがって、図３の括弧内に温風通路１７における断面に対応する符号を付し、温風通路１７における断面の図示を省略している。
【００７４】
ドア本体部３０のうちガイド溝３６の内部に位置する部位（ドア幅方向Ｗにおける両端部）には、ガイド壁面３５側（図３の下方側）に向かって突出する複数個の突起４０が一体成形されている。
【００７５】
複数個の突起４０は、ドア移動方向Ｘと平行に並んで形成されており、ドア本体部３０とガイド壁面３５との間に介在している。したがって、複数個の突起４０を介在部と表現することもできる。
【００７６】
複数個の突起４０は、互いに間隔を空けて配置されている。これにより、ドア本体部３０の湾曲変形が突起４０によって妨げられないようになっている。
【００７７】
図６は、突起４０の断面図である。突起４０同士の間隔は、従動側ギヤ３２の歯同士の間隔よりも大きくなっている。具体的には、突起４０同士のピッチ寸法Ｐ１は、２×ｍ×π以上になっている。ｍは、従動側ギヤ３２のモジュール値である。すなわち、ピッチ寸法Ｐ１は、従動側ギヤ３２のピッチ寸法の２倍以上になっている。
【００７８】
各突起４０は、従動側ギヤ３２の歯に比べて、ドア移動方向Ｘの曲げ剛性が高くなっている。具体的には、各突起４０は、根元長さ寸法Ｌ１が先端長さ寸法Ｌ２および高さ寸法Ｈ１よりも大きい形状を有している。
【００７９】
図３、図５（ｂ）に示すように、突起４０には、中空状の肉盗み空間４０ａが形成されている。肉盗み空間４０ａは、ドア幅方向Ｗを向いて開口している。
【００８０】
本例では、肉盗み空間４０ａを、ドア幅方向Ｗにおいてドア本体部３０の中央側（図３の左方側）から外側（図３の右方側）に向かって開口させている。換言すれば、肉盗み空間４０ａを外側から横抜きにしている。
【００８１】
なお、デフロスタ・フェイスドア２６の基本構成は上述のエアミックスドア２０と同様であるので、デフロスタ・フェイスドア２６の構成の詳細については説明を省略する。
【００８２】
次に、本実施形態の電気制御部の概要を説明する。上述したエアミックスドア２０、デフロスタ・フェイスドア２６およびフットドア２８用の各サーボモータならびに送風機２１用の電動モータ２３等の各種アクチュエータは、図示しない空調制御装置の出力側に接続されており、空調制御装置から出力される制御信号によって、その作動が制御される。
【００８３】
空調制御装置は、ＣＰＵ、ＲＯＭおよびＲＡＭ等を含む周知のマイクロコンピュータとその周辺回路から構成される。この空調制御装置は、そのＲＯＭ内に空調装置制御プログラムを記憶しており、その空調装置制御プログラムに基づいて各種演算、処理を行い、出力側に接続された空調制御機器の作動を制御する。
【００８４】
空調制御装置の入力側には、外気温Ｔａｍ、内気温Ｔｒ、車室内に入射する日射量Ｔｓ等の車両環境状態を検出するセンサ群、および、車両用空調装置の作動指令信号を出力する作動スイッチ、車室内目標温度Ｔｓｅｔを設定する温度設定スイッチ等が設けられた操作パネルが接続される。
【００８５】
次に、上記構成において本実施形態の作動を説明する。車両作動状態において、作動スイッチが投入されると空調制御装置がＲＯＭに記憶している空調装置制御用プログラムを実行する。空調装置制御用プログラムが実行されると、前述のセンサ群により検出された検出信号および操作パネルの操作信号が読込まれる。そして、これらの信号に基づいて、車室内吹出空気の目標吹出温度ＴＡＯが算出される。
【００８６】
さらに、空調制御装置は目標吹出温度ＴＡＯ等に基づいて、送風機２１の回転数（送風量）、デフロスタ・フェイスドアおよびフットドアの開閉状態（吹出モード）、エアミックスドア２０の目標開度等を決定し、決定した制御状態が得られるように各種アクチュエータに制御信号を出力する。
【００８７】
そして、再び、操作信号および検出信号の読込み→ＴＡＯの算出→新たな制御状態の決定→制御信号の出力といったルーチンを繰り返す。
【００８８】
空調制御装置が図示しないドア駆動装置に制御信号を出力して駆動軸３３ａを回転駆動すると、駆動側ギヤ３３（ピニオン）と従動側ギヤ３２（ラック）との噛み合いによってドア本体部３０がスライド移動する。このとき、ドア本体部３０のスライド移動はガイド溝３６（ケース側シール面１７ａ、１９ａおよびガイド壁面３５）によってガイドされる。
【００８９】
ドア本体部３０が冷風通路１９を閉じてドア本体部３０が風圧を受けると、ドア本体部３０の風下側の板面３０ａがケース側シール面１９ａに当接することによってシール性を発揮する。同様に、ドア本体部３０が温風通路１７を閉じてドア本体部３０が風圧を受けると、ドア本体部３０の風下側の板面３０ａがケース側シール面１７ａに当接することによってシール性を発揮する。
【００９０】
本実施形態によると、従動側ギヤ３２がガイド溝３６から外れた位置に配置されているので、ピニオン３３（駆動側ギヤ）と噛み合うラック３２の歯またはガイド壁面３５の面が荒れることがない。また、従動側ギヤ３２によるスティックスリップ音が発生しない。スティックスリップ音とは、従動側ギヤ３２（ラック）の歯がガイド壁面３５に引っ掛かって曲げ変形して振動することによって発生する異音のことである。
【００９１】
さらに、ドア本体部３０とガイド壁面３５との間に突起４０が介在しているので、ケース側シール面１７ａ、１９ａとドア本体部３０との間の隙間が大きくなってシール性が悪化することを抑制できるとともに、ガイド溝３６の幅を確保できる。ガイド溝３６の幅を確保できるので、ガイド溝３６を成形する型が薄くなって型の強度が不足することを回避できる。
【００９２】
本実施形態では、突起４０は複数個設けられ、ドア移動方向Ｘに配列されている。複数個の突起４０同士の間隔は、従動側ギヤ３２の歯同士の間隔よりも大きくなっていることが好ましい。具体的には、従動側ギヤ３２のモジュール値をｍとしたとき、複数個の突起４０同士の間隔は、２×ｍ×π以上になっていることが好ましい。ドア本体部３０のうち突起４０同士の間の部位で突起４０の振動を吸収して突起４０の摺動音を抑制できるからである。
【００９３】
また、突起４０は、従動側ギヤ３２の歯に比べて、ドアの移動方向Ｘの曲げ剛性が高いものであることが好ましい。具体的には、突起４０は、根元長さ寸法Ｌ１が高さ寸法Ｈ１よりも大きい突起形状を有していることが好ましい。また、突起４０は、根元長さ寸法Ｌ１が先端長さ寸法Ｌ２よりも大きい突起形状を有していることが好ましい。突起４０の曲げ変形および振動を抑制して突起４０の摺動音を抑制できるからである。
【００９４】
本実施形態では、突起４０に中空状の肉盗み空間４０ａが形成されているので、突起４０をドア本体部３０と一体成形する際に、いわゆる「ひけ」が発生することを抑制できる。
【００９５】
肉盗み空間４０ａはドア幅方向Ｗを向いて開口しているので、「ひけ」の発生を抑制しつつ、ドア本体部３０とケース側シール面１７ａとの当接面積を確保してシール性を確保することができる。
【００９６】
（第２実施形態）
上記第１実施形態では、突起４０の肉盗み空間４０ａがドア幅方向Ｗを向いて開口しているが、本第２実施形態では、図７に示すように肉盗み空間４０ａが突起４０の突出方向と平行な方向を向いて開口している。
【００９７】
本例では、肉盗み空間４０ａを突起４０の先端側（図７の下方側）から根元側（図７の上方側）に向かって開口させている。換言すれば、肉盗み空間４０ａを突起４０の根元側から縦抜きにしている。
【００９８】
本実施形態によると、肉盗み空間４０ａの開口方向が、ドア本体部３０と突起４０とを一体成形する際の型抜きの方向と一致するので、型抜きが容易である。
【００９９】
（第３実施形態）
上記第１実施形態では、突起４０がドア本体部３０に形成されているが、本第３実施形態では、図８に示すように、突起部４１がガイド壁面３５に形成されている。具体的には、突起部４１は、ガイド壁面３５からドア本体部３０に向かって突出するように形成されている。突起部４１の形状、寸法および配置間隔については、上記第１実施形態の突起４０と同様であるので説明を省略する。
【０１００】
本実施形態によると、ドア本体部３０に突起４０が形成されていないので、ドア本体部３０がケース側シール面１７ａ、１９ａおよびガイド壁面３５の湾曲形状に沿って湾曲変形しやすくなってケース側シール面１７ａ、１９ａに馴染みやすくなる。そのため、シール性を向上することができる。
【０１０１】
また、本実施形態によると、ガイド溝３６の隙間管理が容易である。すなわち、ドア本体部３０をスムーズにスライド移動可能にするためにガイド溝３６の隙間管理が重要であるところ、上記第１実施形態ではガイド溝３６全体について隙間管理が必要であるが、本実施形態では突起部４１とケース側シール面１７ａ、１９ａとの間のみでの隙間管理で済む。その結果、型のチューニングが簡単になり、成形を容易化できる。
【０１０２】
（他の実施形態）
なお、上記各実施形態では、本発明を車両用空調装置の吹出モード切替ドアに適用した例を説明しているが、これに限定されず、車両用空調装置のエアミックスドア、内外気切替ドアにも適用することができる。
【０１０３】
また、住宅やビル等に設置される空調装置における空気通路開閉装置等、種々の空気通路開閉装置に広く本発明を適用できる。
【０１０４】
また、上記各実施形態では、ドア本体部３０とガイド壁面３５との間に介在する介在部として複数個の突起４０、４１を設けているが、これに限定されるものではなく、介在部の個数、形状および配置等を種々変形可能である。
【０１０５】
また、上記各実施形態のような介在部４０、４１を設けず、図９に示すようにガイド溝３６自体の幅を狭くしてもよい。この場合、ガイド溝を成形するための型が非常に薄くなって強度が弱くなるという問題がある。その対策として、ケース側シール面１７ａ、１９ａとガイド壁面３５とでケースを別体化し、ケース側シール面１７ａ、１９ａとガイド壁面３５とを別々の型で成形するようにすればよい。この場合、突起を設けなくても良いため、型構造が簡単になる。また、凹凸のない平滑な面同士の摺動となるため、摺動音が小さくなる。
【符号の説明】
【０１０６】
１１    ケース
１７    温風通路（空気通路）
１７ａ  ケース側シール面
１９    冷風通路（空気通路）
１９ａ  ケース側シール面
２０    エアミックスドア（スライドドア）
３０    ドア本体部
３２    従動側ギヤ
３３    駆動側ギヤ
３５    ガイド壁面
３６    ガイド溝
４０    介在部
４０ａ  肉盗み空間
Ｗ      ドア幅方向（ドア本体部の幅方向）
Ｘ      ドア移動方向（スライドドアの移動方向）
【図１】
0005533684.tif 000002
【図２】
0005533684.tif 000003
【図３】
0005533684.tif 000004
【図４】
0005533684.tif 000005
【図５】
0005533684.tif 000006
【図６】
0005533684.tif 000007
【図７】
0005533684.tif 000008
【図８】
0005533684.tif 000009
【図９】
0005533684.tif 000010
【図１０】
0005533684.tif 000011